(57)【要約】【課題】  引出し面板の高さ調整機構の提供。【解決手段】  レールの設計により引出し面板の高さ調整の目的を達成する。該レールは、家具に固定されるガイドレールと引出しの両側壁面に固定されるスライドレールを具えている。そのうち、ガイドレールの前端にローラが設けられ、スライドレールの後端もローラが設けられている。スライドレールのローラがガイドレール内で移動し、スライドレールの上縁に凸設されたストッパ片がガイドレール前端のローラの上面を制圧し、引出しの移動を案内する。スライドレール上縁のストッパ片の外端に調整ネジが螺設され、該調整ネジの下端が弾性片を制圧し、該弾性片がガイドレール外端のローラを制圧する。該弾性片の高さを調整することにより、引出しの高さを調整できる。【選択図】        図３
0003101752.tif 000002
【実用新案登録請求の範囲】
【請求項１】
引出しの移動がレールにより案内され、該レールが家具に固定されるガイドレールと引出しの両側壁面に固定されるスライドレールを具え、該ガイドレールの前端にローラが設けられ、該スライドレールの上縁にストッパ片が凸設され、該スライドレールの後端にローラが設けられ、該引出しが、該スライドレールのローラの該ガイドレール内の移動、及びスライドレールの上縁に凸設されたストッパ片がガイドレール前端のローラの上面を制圧することにより、その移動が正しく案内される引出しに使用される引出し面板の高さ調整機構において、
該スライドレールの上縁のストッパ片の外端に調整ネジが螺設され、該調整ネジの下端が弾性片を制圧し、該弾性片の内端が該ストッパ片に固定され、その外端が自由状とされ、引出しが完全に押し込まれる時、該弾性片が該ガイドレールの外端のローラの上を制圧するよう形成されたことを特徴とする、引出し面板の高さ調整機構。
【考案の詳細な説明】
【技術分野】
【０００１】
本考案は一種の引出し面板の高さ調整機構に係り、引出しの傾斜と高度を調整し、引出しを水平状とし、且つ上下の引出し間の距離を調整して家具の全体の外観を更に協調性と美観を具備するものとなす引出し面板の高さ調整機構に関する。
【背景技術】
【０００２】
図１、２に示されるように、引出し１１は、レール１２の設置により、導入、導出の作用を発生する。該レール１２は家具に固定されるガイドレール１３と、引出し１１の両側壁面に固定されるスライドレール１４を具えている。該ガイドレール１３の前端にはローラ１５が設けられ、該スライドレール１４の後端にはローラ１６が設けられ、スライドレール１４のローラ１６がガイドレール１３内を移動し、引出し１１の移動を案内する。該引出し１１の両側壁面のスライドレール１４上縁にはストッパ片１７が凸設され、引出し１１の移動過程で、該ストッパ片１７が該ガイドレール１３前端のローラ１５の上面を制圧し、引出し１１の移動を更に順調となす。
【０００３】
引出し１１の外端には面板１８が設置され、該面板１８の幅は引出し１１の挿入口の幅より大きく、これによりレール１２を遮蔽すると共に引出し１１の該挿入口内への完全な進入を防止している。該面板１８の高さは引出し１１の両側のスライドレール１４の上端のストッパ片１７外端が支持される高さにより決定される。面板１８の左右の高さが異なる時は、ガイドレール１３を取り外して正しい位置に組立直さねばならない。面板１８の左右の高さが少しだけ異なる時、作業員は面倒を避けるために、そのままにしておく場合がある。ガイドレール１３の高さ、傾斜度を変更できない時は、スライドレール１４を取り外して正しい位置に組み付け直さねばならず、ゆえに、一般に周知の引出し１１をレール１２に固定する時には、正確に行なって組立時に発生する錯誤を減らさねばならない。
【考案の開示】
【考案が解決しようとする課題】
【０００４】
本考案は一種の引出しの高さ調整機構を提供することを目的とし、それは、簡単に引出し面板の田さを調整することができ、引出し面板の左右両端を水平状となし、並びに上下の引出し面板間の距離を調整し、家具の引出し部分を整然とした美観を具備するものとなす引出し面板の高さ調整機構であるものとする。
【課題を解決するための手段】
【０００５】
請求項１の考案は、引出しの移動がレールにより案内され、該レールが家具に固定されるガイドレールと引出しの両側壁面に固定されるスライドレールを具え、該ガイドレールの前端にローラが設けられ、該スライドレールの上縁にストッパ片が凸設され、該スライドレールの後端にローラが設けられ、該引出しが、該スライドレールのローラの該ガイドレール内の移動、及びスライドレールの上縁に凸設されたストッパ片がガイドレール前端のローラの上面を制圧することにより、その移動が正しく案内される引出しに使用される引出し面板の高さ調整機構において、
該スライドレールの上縁のストッパ片の外端に調整ネジが螺設され、該調整ネジの下端が弾性片を制圧し、該弾性片の内端が該ストッパ片に固定され、その外端が自由状とされ、引出しが完全に押し込まれる時、該弾性片が該ガイドレールの外端のローラの上を制圧するよう形成されたことを特徴とする、引出し面板の高さ調整機構としている。
【考案の効果】
【０００６】
本考案の提供する引出し面板の高さ調整機構は、簡単な構造を運用し、且つ引出し面板を調整する操作中に、部品を取り外す必要がなく、簡単に調整作業を完成することができ、理想的な設計である。
【考案を実施するための最良の形態】
【０００７】
本考案は引出し面板の高さ調整機構を提供し、該引出しは、レールによりその移動が案内される。該レールは、家具に固定されるガイドレールと引出しの両側壁面に固定されるスライドレールを具えている。そのうち、ガイドレールの前端にローラが設けられ、スライドレールの後端もローラが設けられている。スライドレールのローラがガイドレール内で移動し、スライドレールの上縁に凸設されたストッパ片がガイドレール前端のローラの上面を制圧し、引出しの移動を案内する。スライドレール上縁のストッパ片の外端に調整ネジが螺設され、該調整ネジの下端が弾性片を制圧し、該弾性片がガイドレール外端のローラを制圧する。該弾性片の高さを調整することにより、引出し面板の高さを調整できる。
【０００８】
本考案は引出し面板の高さ調整機構を提供し、そのうち、調整ネジの調整方式は、操作上、極めて簡単であり、且つ無段式の微調整機能を具え、引出しの左右両端を微調整してほぼ水平な程度となすことができる。
【０００９】
本考案は引出し面板の高さ調整機構を提供し、そのうち、引出しの左右両端の高度がいずれも調整でき、隣り合う引出し面板との距離を改変できる。
【実施例１】
【００１０】
図３、４、図５に示されるように、本考案は引出し面板の高さ調整機構を提供し、引出し３０はレール２０によりその移動が案内される。該レール２０は、家具に固定されるガイドレール２１と引出し３０の両側壁面に固定されるスライドレール２２を具えている。そのうち、ガイドレール２１の前端にローラ２１１が設けられている。該スライドレール２２の上縁にストッパ片２２２が凸設され、スライドレール２２の後端にローラ２２１が設けられている。引出し３０が家具４０内に導入される時、該スライドレール２２のローラ２２１がガイドレール２１内を移動し、該スライドレール２２の上縁に凸設されたストッパ片２２２が該ガイドレール２１前端のローラ２１１の上面を制圧し、引出し３０の移動を正しく案内する。
【００１１】
該スライドレール２２の上縁のストッパ片２２２の外端には調整ネジ２２３が螺設され、該調整ネジ２２３の下端が弾性片２２４を制圧し、該弾性片２２４の内端が該ストッパ片２２２に固定され、該外端は自由状とされる。引出し３０が完全に押し込まれる時、該弾性片２２４はガイドレール２１外端のローラ２１１の上に圧接される。調整ネジ２２３が弾性片２２４を下向きに押す時、引出し３０の面板３１の高さを高くすることができる。反対であれば、引出し３０の面板３１の高さを下げることができる。ゆえに、使用者は該調整ネジ２２３を螺設の深さを調整することにより、面板３１の高さを改変することができる。
【００１２】
該引出し３０の面板３１の高さを調整する必要がある時、引出し３０を取り外す必要がなく、ただ引出し３０をやや引き出してその両側のスライドレール２２の外端を露出させ、さらに工具（図示せず）で該調整ネジ２２３の螺設深さを調整して、弾性片２２４の外端の高さを改変し、面板３１の左右の高さを調整すればよい。ゆえに調整操作が極めて簡単である。
【００１３】
図６を参照されたい。家具４０が二つ以上の引出し３１を具えている時、引出し３０の面板３１の左右両側の高さを調整することで、各引出し３０の面板３１間の距離を等しくすることができ、家具４０に高い品質を現出させることができる。
【図面の簡単な説明】
【００１４】
【図１】周知の引出しのレールの分解図である。
【図２】図１のレールの断面図である。
【図３】本考案の実施例の分解図である。
【図４】図３の局部拡大図である。
【図５】図３のレールの断面図である。
【図６】本考案を運用した家具の斜視図である。
【符号の説明】
【００１５】
１０  家具                  １１  引出し
１２  レール                １３  ガイドレール
１４  スライドレール        １５  ローラ
１６  ローラ                １７  ストッパ片
１８  面板
２０  レール                ２１  ガイドレール
２１１  ローラ              ２２  スライドレール
２２１  ローラ              ２２２  ストッパ片
２２３  調整ネジ            ２２４  弾性片
３０  引出し                ３１  面板
４０  家具
【図１】
0003101752.tif 000003
【図２】
0003101752.tif 000004
【図３】
0003101752.tif 000005
【図４】
0003101752.tif 000006
【図５】
0003101752.tif 000007
【図６】
0003101752.tif 000008